(57)【特許請求の範囲】
【請求項１】
複数の頂部又は凸部を有する屋根に取付金具を介して取付物を取付けるものであり、
取付金具が、屋根の複数の頂部又は凸部のそれぞれに挟着して取付く複数の挟持部を有し、それら複数の挟持部が連結部により一体になっている屋根面への取付物の取付構造において、
取付金具が板材からなり、板材の長手方向の両端部を長手方向に対して下向きに曲折した左右の曲折部とし、板材の長手方向の中間部を連結部とし、この中間部の側辺を長手方向に直交する短手方向に対して下向きに曲折した曲折部としてなり、
板材の長手方向の両端部に曲折した左右の曲折部の一方が備える係合面と、板材の長手方向の中間部の側辺に曲折した曲折部の一端面が備える係合面により一方の挟持部を構成し、
板材の長手方向の両端部に曲折した左右曲折部の他方が備える係合面と、板材の長手方向の中間部の側辺に曲折した曲折部の他端面が備える係合面により他方の挟持部を構成し、
上記の両方の挟持部が屋根の相隣る２個の頂部又は凸部のそれぞれに係合して取付くことを特徴とする屋根面への取付物の取付構造。
【請求項２】
前記取付金具が、板材の長手方向の中間部に曲折される曲折部を、該板材の中間部の両側辺に形成してなる請求項１に記載の屋根面への取付物の取付構造。
【請求項３】
前記取付金具が、板材の長手方向の中間部に曲折される曲折部の下端面を屋根面に接するように設置してなる請求項１又は２に記載の屋根面への取付物の取付構造。
【請求項４】
前記取付金具の挟持部が屋根の頂部又は凸部に嵌合によって挟着して取付く請求項１〜３のいずれかに記載の屋根面への取付物の取付構造。
【請求項５】
前記取付金具の挟持部が、屋根の頂部又は凸部の一側面に締結するねじ手段と、屋根の頂部又は凸部の他側面に係合する係合面とで、屋根の頂部又は凸部に挟着して取付く請求項１〜４のいずれかに記載の屋根面への取付物の取付構造。
【発明の詳細な説明】
【技術分野】
【０００１】
本発明は屋根面への取付物の取付構造に関する。
【背景技術】
【０００２】
屋根面への取付物の取付構造として、特許文献１に記載の如く、複数の頂部又は凸部１Ｂを有する屋根１に太陽電池モジュールを取付けるための取付金具２であって、屋根の任意の頂部又は凸部１Ｂを挟んで配置される挟持部２Ａと、挟持部の上縁の折り返し部２Ｂと、その折り返し部の折り返しの一端を開口した挿込み口２Ｃと、その挿込み口に挿し込んで太陽電池モジュールを支持させる台座部を有する支持体３と、挟持部と支持体とを貫通する貫通孔３Ａと、その貫通孔に挿通されて挟持部の相対する２面を緊結させるボルト部４とを備えたものがある（図８）。
【先行技術文献】
【特許文献】
【０００３】
【特許文献１】特開2009-91825
【発明の概要】
【発明が解決しようとする課題】
【０００４】
特許文献１に記載の取付構造は以下の問題点がある。
(a)取付金具２が屋根１の屋根面１Ａに設けた１つの頂部又は凸部１Ｂに取付く構造になっており、水平方向からの外力が加えられた場合に、回転やねじれを生じ易い。このため、太陽電池モジュールの取付構造として、強風地域では使用できない。また、屋根１の屋根面１Ａの上を屋上バルコニーとして使用する際の手摺の取付構造として使用できない。
【０００５】
(b)取付金具２を屋根１の複数の頂部又は凸部１Ｂに取付ける場合には、図９に示す如く、相隣る取付金具２同士を連結部材５で連結する必要がある。このため、取付金具２及び連結部材５が必要になり、部材コスト、組立作業手間が余分に発生する。
【０００６】
(c)取付金具２と連結部材５のボルト等による連結部６が、図９に示す如く、屋根１の頂部又は凸部１Ｂよりも上部になり、屋根１の屋根面１Ａからの突出高さが高くなる。このため、図９に示す如く、屋根１の屋根面１Ａの上を屋上バルコニー７として使用する際に、この屋根面１Ａに設置されるバルコニー７の床仕上げ材７Ａよりも取付金具２及び連結部材５が突出し、これらが歩行者の障害となり、屋根面１Ａにおけるバルコニー７の有効利用面積が減少する。
【０００７】
本発明の課題は、屋根面への取付物の取付構造において、屋根の複数の頂部又は凸部に取付けられ、水平方向からの外力に対する取付強度を大きくでき、しかも部材コスト及び組立作業手間を低減でき、屋根の屋根面からの突出高さも低くできるようにすることにある。
【課題を解決するための手段】
【０００８】
請求項１の発明は、複数の頂部又は凸部を有する屋根に取付金具を介して取付物を取付けるものであり、取付金具が、屋根の複数の頂部又は凸部のそれぞれに挟着して取付く複数の挟持部を有し、それら複数の挟持部が連結部により一体になっている屋根面への取付物の取付構造において、取付金具が板材からなり、板材の長手方向の両端部を長手方向に対して下向きに曲折した左右の曲折部とし、板材の長手方向の中間部を連結部とし、この中間部の側辺を長手方向に直交する短手方向に対して下向きに曲折した曲折部としてなり、板材の長手方向の両端部に曲折した左右の曲折部の一方が備える係合面と、板材の長手方向の中間部の側辺に曲折した曲折部の一端面が備える係合面により一方の挟持部を構成し、板材の長手方向の両端部に曲折した左右曲折部の他方が備える係合面と、板材の長手方向の中間部の側辺に曲折した曲折部の他端面が備える係合面により他方の挟持部を構成し、上記の両方の挟持部が屋根の相隣る２個の頂部又は凸部のそれぞれに係合して取付くようにしたものである。
請求項２の発明は、請求項１の発明において更に、前記取付金具が、板材の長手方向の中間部に曲折される曲折部を、該板材の中間部の両側辺に形成してなるようにしたものである。
【０００９】
請求項３の発明は、請求項１又は２の発明において更に、前記取付金具が、板材の長手方向の中間部に曲折される曲折部の下端面を屋根面に接するように設置してなるようにしたものである。
【００１０】
請求項４の発明は、請求項１〜３のいずれかの発明において更に、前記取付金具の挟持部が屋根の頂部又は凸部に嵌合によって挟着して取付くようにしたものである。
【００１１】
請求項５の発明は、請求項１〜４のいずれかの発明において更に、前記取付金具の挟持部が、屋根の頂部又は凸部の一側面に締結するねじ手段と、屋根の頂部又は凸部の他側面に係合する係合面とで、屋根の頂部又は凸部に挟着して取付くようにしたものである。
【発明の効果】
【００１２】
（請求項１、２、３）
(a)取付金具の複数の挟持部が、屋根の複数の頂部又は凸部へまたがるように各頂部又は凸部のそれぞれに挟着して取付く構造とすることで、水平方向からの外力に対して取付強度を大きくすることができ、回転やねじれを抑えることができる。そのため、太陽電池モジュールの取付構造として、強風地域にも使用でき、手摺等の太陽電池モジュール以外の用途にも使用できる。
【００１３】
(b)取付金具の複数の挟持部が連結部により一体となっている構造とすることで、別部材としての連結部材自体と連結組立作業が不要となり、部材コスト、組立作業手間を低減できる。
【００１４】
(c)取付金具の複数の挟持部が連結部により一体となっている構造とすることで、別部材としての連結部材が不要になり、取付金具の屋根面からの高さを低くすることができ、屋根の屋根面の上を屋上バルコニーとする際に、その屋根面に設置されるバルコニーの床仕上げ材面よりも取付金具が突出せず、取付金具が歩行者の障害とならず、屋根面におけるバルコニーの有効利用面積を減少させることがない。
【００１５】
(d)取付金具が板材からなり、板材の長手方向の複数位置に複数の挟持部のそれぞれを曲げ形成し、相隣る挟持部に挟まれる板材の中間部を連結部とする構造とすることにより、取付金具の形態を簡素にして部材コストを一層低減できるし、屋根の屋根面からの取付金具の突出高さを一層低くできる。
【００１６】
（請求項４）
(e)取付金具の挟持部が屋根の頂部又は凸部に嵌合によって挟着して取付く構造とすることにより、取付金具の構造を簡素にして部材コストを一層低減できるし、取付作業の容易を図ることができる。
【００１７】
（請求項５）
(f)取付金具の挟持部が、屋根の頂部又は凸部の一側面に締結するねじ手段と、屋根の頂部又は凸部の他側面に係合する係合面とで、屋根の頂部又は凸部に挟着して取付く構造とする。これにより、挟持部の一側面にねじ手段を締結させ、挟持部の他側面を屋根の頂部又は凸部に応じてこれに係合する係合面とする。挟持部を屋根の複数の頂部又は凸部に対する所定の取付位置に設置してから、予めゆるめておいたねじ手段を締付けて取付けでき、取付作業の容易を図ることができる。また、ねじ手段の締付け力を調整することにより、取付強度を調整することができる。
【図面の簡単な説明】
【００１８】
【図１】図１は実施例１の屋根面への取付物の取付構造を示し、（Ａ）は模式平面図、（Ｂ）は拡大正面図である。
【図２】図２は取付金具を示し、（Ａ）は正面図、（Ｂ）は平面図、（Ｃ）は側面図である。
【図３】図３は実施例２の屋根面への取付物の取付構造を示し、（Ａ）は模式平面図、（Ｂ）は拡大正面図である。
【図４】図４は取付金具を示し、（Ａ）は正面図、（Ｂ）は平面図、（Ｃ）は側面図である。
【図５】図５は当て板を示す断面図である。
【図６】図６は実施例３の屋根面への手摺の取付構造を示し、（Ａ）は模式平面図、（Ｂ）は模式側面図である。
【図７】図７は図６に示した取付構造の要部を示し、（Ａ）は図６（Ａ）のVIIA−VIIA線に沿う矢視図、（Ｂ）は図７（Ａ）のVIIB−VIIB線に沿う矢視図である。
【図８】図８は従来例を斜視図である。
【図９】図９は従来例を示し、（Ａ）は模式正面図、（Ｂ）は模式平面図である。
【発明を実施するための形態】
【００１９】
（実施例１）（図１、図２）
図１は屋根１００の屋根面１００Ａへの屋上バルコニー２００の手摺２０１等の取付構造を示すものである。屋根１００は、広幅の屋根材１０１と狭幅の屋根材１０２を互い違いに順次幅方向に並設したものである。屋根材１０１は、両側縁を上方に曲折した曲折部１０１Ａとし、各曲折部１０１Ａの先端に爪状突起１０１Ｂを形成している。屋根材１００には両側縁を下方に曲折した曲折部１０２Ａとし、各曲折部１０２Ａの先端に爪状突起１０２Ｂを形成している。屋根１００は、相隣る屋根材１０１、１０１の上向きの曲折部１０１Ａ、１０１Ａに、屋根材１０２の両側縁の下向きの曲折部１０２Ａ、１０２Ｂを係合することを順次幅方向に繰り返す。屋根材１０２は両側縁の曲折部１０２Ａの爪状突起１０２Ｂが相隣る屋根材１０１の曲折部１０１Ａの爪状突起１０１Ｂに係止して抜け止めされる。そして、屋根１００は、各屋根材１０１が形成する広幅の屋根面１００Ａに対し、各屋根材１０２が形成する狭幅の複数の頂部又は凸部１００Ｂを上方へ突出させて有する。
【００２０】
屋根１００の複数、本実施例では相隣る２個の頂部又は凸部１００Ｂには、図１に示す如く、取付金具１０を介して手摺２０１が取付けられる。
【００２１】
取付金具１０は、図２に示す如く、屋根１００の相隣る２個の頂部又は凸部１００Ｂのそれぞれに挟着して取付く２個の挟持部１１、１１を有し、それら２個の挟持部１１、１１が連結部１２により一体になっている。
【００２２】
本実施例では、取付金具１０が板材からなり、板材の長手方向の２位置、本実施例では両端２位置に２個の挟持部１１、１１のそれぞれを曲げ成形し、相隣る挟持部１１、１１に挟まれる板材の長手方向の中間部を連結部１２とする。
【００２３】
取付金具１０は、板材の長手方向の両端部を長手方向に対して下向きに曲折した左右の曲折部１３、１３とするとともに、板材の長手方向の中間部を長手方向に直交する短手方向に対して下向きに曲折した左右の曲折部１４、１４とする。曲折部１４は連結部１２の両側片材になる。そして、取付金具１０は、左右の曲折部１３、１３を屋根１００の頂部又は凸部１００Ｂの一側面に係合する係合突部１３Ｂを備えた係合面１３Ａとし、前後の曲折部１４、１４の両端面を屋根１００の頂部又は凸部１００Ｂの他側面に係合する係合突部１４Ｂを備えた係合面１４Ａとする。これにより、取付金具１０は、左右一方の曲折部１３及び曲折部１４により一方の挟持部１１を構成し、左右他方の曲折部１３及び曲折部１４により他方の挟持部１１を構成する。
【００２４】
従って、取付金具１０は、屋根１００の相隣る２個の頂部又は凸部１００Ｂのそれぞれに、各挟持部１１の係合面１３Ａ、１４Ａを弾発的に拡縮させて係合させることにより、それら係合面１３Ａ、１４Ａを嵌合によって挟着して取付ける。このとき、各挟持部１１の係合面１３Ａの係合突部１３Ｂが屋根１００の頂部又は凸部１００Ｂの一側面にて屋根材１０２が備える係合突部１０２Ｃに弾発的に係止し、各挟持部１１の係合面１４Ａの係合突部１４Ｂが屋根１００の頂部又は凸部１００Ｂの他側面にて屋根材１０２が備える係合突部１０２Ｃに弾発的に係止して抜け止めされる。
【００２５】
尚、手摺２０１は取付脚部２０１Ａの底面を、取付金具１０の連結部１２の上面に着座し、連結部１２の上面に設けてある取付孔１２Ａを用いてボルト止めされる。
【００２６】
本実施例によれば以下の作用効果を奏する。
(a)取付金具１０の複数の挟持部１１が、屋根１００の複数の頂部又は凸部１００Ｂへまたがるように各頂部又は凸部１００Ｂのそれぞれに挟着して取付く構造とすることで、水平方向からの外力に対して取付強度を大きくすることができ、回転やねじれを抑えることができる。そのため、太陽電池モジュールの取付構造として、強風地域にも使用でき、手摺２０１等の太陽電池モジュール以外の用途にも使用できる。
【００２７】
(b)取付金具１０の複数の挟持部１１が連結部１２により一体となっている構造とすることで、別部材としての連結部材自体と連結組立作業が不要となり、部材コスト、組立作業手間を低減できる。
【００２８】
(c)取付金具１０の複数の挟持部１１が連結部１２により一体となっている構造とすることで、別部材としての連結部材が不要になり、取付金具１０の屋根面１００Ａからの高さを低くすることができ、屋根１００の屋根面１００Ａの上を屋上バルコニー２００とする際に、その屋根面１００Ａに設置されるバルコニー２００の床仕上げ材面２０２よりも取付金具１０が突出せず、取付金具１０が歩行者の障害とならず、屋根面１００Ａにおけるバルコニー２００の有効利用面積を減少させることがない。
【００２９】
(d)取付金具１０が板材からなり、板材の長手方向の複数位置に複数の挟持部１１のそれぞれを曲げ形成し、相隣る挟持部１１に挟まれる板材の中間部を連結部１２とする構造とすることにより、取付金具１０の形態を簡素にして部材コストを一層低減できるし、屋根１００の屋根面１００Ａからの取付金具１０の突出高さを一層低くできる。
【００３０】
(e)取付金具１０の挟持部１１が屋根１００の頂部又は凸部１００Ｂに嵌合によって挟着して取付く構造とすることにより、取付金具１０の構造を簡素にして部材コストを一層低減できるし、取付作業の容易を図ることができる。
【００３１】
（実施例２）（図３〜図５）
実施例２が実施例１と異なる点は、図３、図４に示す如く、取付金具１０に代わる取付金具１０Ａを用いたことにある。
【００３２】
取付金具１０Ａは、取付金具１０と同様に、屋根１００の相隣る２個の頂部又は凸部１００Ｂのそれぞれに挟着して取付く２個の挟持部１１、１１を有し、それら２個の挟持部１１、１１が連結部１２により一体になっている。また、取付金具１０Ａは板材からなり、板材の長手方向の両端２位置に２個の挟持部１１、１１のそれぞれを曲げ成形し、相隣る挟持部１１、１１に挟まれる板材の長手方向の中間部を連結部１２としている。
【００３３】
取付金具１０Ａは、板材の長手方向の両端部を長手方向に対して下向きに曲折した左右の曲折部１３、１３とするとともに、板材の長手方向の中間部を長手方向に直交する短手方向に対して下向きに曲折した左右の曲折部１４、１４とする。そして、取付金具１０Ａは、左右の曲折部１３、１３を平板状にし、左右の曲折部１３、１３に設けたねじ孔にはボルト１５（ねじ手段）が螺着され、ボルト１５の先端部に背面支持される当て板１６を屋根１００の頂部又は凸部１００Ｂの一側面に係合させる。当て板１６は図５に示す如く、屋根１００の頂部又は凸部１００Ｂの一側面にて屋根材１０２が備える係合突部１０２Ｃに係合する上下の係合突部１６Ｂ、１６Ｃを備えた係合面１６Ａを有する。また、取付金具１０Ａは、前後の曲折部１４、１４の両端面を屋根１００の頂部又は凸部１００Ｂの他側面に係合する係合突部１４Ｂを備えた係合面１４Ａとする。これにより、取付金具１０Ａは、左右一方の曲折部１３、ボルト１５により一方の挟持部１１を構成し、左右他方の曲折部１３、ボルト１５により他方の挟持部１１を構成する。
【００３４】
従って、取付金具１０Ａは、各挟持部１１の曲折部１３に螺着させてあるボルト１５をゆるめた状態で、屋根１００の相隣る２個の頂部又は凸部１００Ｂの他側面のそれぞれに、各挟持部１１の係合面１４Ａを弾発的に拡縮させて係合させる。次に、各挟持部１１の曲折部１３に螺着させてあるボルト１５を締め込み、ボルト１５により背面支持されている当て板１６の係合面１６Ａを、屋根１００の相隣る２個の頂部又は凸部１００Ｂの一側面に係合させる。このとき、各挟持部１１の当て板１６における係合面１６Ａの係合突部１６Ｂ、１６Ｃが屋根１００の頂部又は凸部１００Ｂの一側面にて屋根材１０２が備える係合突部１０２Ｃに係止し、各挟持部１１の係合面１４Ａの係合突部１４Ｂが屋根１００の頂部又は凸部１００Ｂの他側面にて屋根材１０２が備える係合突部１０２Ｃに係止して抜け止めされる。
【００３５】
本実施例によれば、実施例１の(a)〜(d)の作用効果に加え、以下の作用効果を奏する。
取付金具１０Ａの挟持部１１が、屋根の頂部又は凸部１００Ｂの一側面に締結するボルト１５と、屋根の頂部又は凸部１００Ｂの他側面に係合する係合面１４Ａとで、屋根の頂部又は凸部１００Ｂに挟着して取付く構造とする。これにより、挟持部１１の一側面にボルト１５を締結させ、挟持部１１の他側面を屋根の頂部又は凸部１００Ｂに応じてこれに係合する係合面１４Ａとする。挟持部１１を屋根の複数の頂部又は凸部１００Ｂに対する所定の取付位置に設置してから、予めゆるめておいたボルト１５を締付けて取付けでき、取付作業の容易を図ることができる。また、ボルト１５の締め付け力を調整することにより、取付強度を調整することができる。
【００３６】
（実施例３）（図６、図７）
図６は、屋根１００の屋根面１００Ａの相隣る頂部又は凸部１００Ｂのそれぞれに前述の如くに取付けた複数の取付金具１０Ａ（取付金具１０でも可）に、屋上バルコニー２００の手摺２０１を取付けた構造を示す。手摺２０１は、取付脚部２０１Ａの下端に逆Ｕ字状の取付金物２０１Ｂを溶接して備え、取付金物２０１Ｂの両側部を取付金具１０Ａの連結部１２の両側片（曲折部１４）の外側に被着してボルト止めされる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の屋根面への取付物の取付構造では、実施例１〜３に記載の屋根１００に限らず、折板屋根、波形スレート板、波形亜鉛鉄板、ステンレス鋼板、波形ガラス、波形プラスチック板の屋根に本発明の取付金具を適用することができる。
【００３８】
また、瓦棒と称する芯材が所定のピッチで設けられた鋼板瓦棒葺き屋根を平板状屋根とし、その凸部である角形の瓦棒部に取付金具を取付ける構成であっても良い。
【００３９】
また、本発明は、取付物を手摺２０１とするものに限らず、取付物を太陽電池モジュール、屋根上アンテナ等、屋根面の上に取付けられる全てのものとすることができる。
【００４０】
また、本発明は、取付金具を屋根の３個以上の頂部又は凸部のそれぞれに挟着して取付く３個以上の挟持部を有し、それら３個以上の挟持部が連結部により一体になっているものでも良い。
【産業上の利用可能性】
【００４１】
本発明は、複数の頂部又は凸部を有する屋根に取付金具を介して取付物を取付ける屋根面への取付物の取付構造において、取付金具が、屋根の複数の頂部又は凸部のそれぞれに挟着して取付く複数の挟持部を有し、それら複数の挟持部が連結部により一体になっているものとした。これにより、屋根面への取付物の取付構造において、屋根の複数の頂部又は凸部に取付けられ、水平方向からの外力に対する取付強度を大きくでき、しかも部材コスト及び組立作業手間を低減でき、屋根の屋根面からの突出高さも低くできる。
【符号の説明】
【００４２】
１０、１０Ａ  取付金具
１１  挟持部
１２  連結部
１３、１４  曲折部
１３Ａ、１４Ａ  係合面
１３Ｂ、１４Ｂ  係合突部
１５  ボルト（ねじ手段）
１００  屋根
１００Ａ  屋根面
１００Ｂ  頂部又は凸部
２０１  手摺（取付物）
【図１】
0005479019.tif 000002
【図２】
0005479019.tif 000003
【図３】
0005479019.tif 000004
【図４】
0005479019.tif 000005
【図５】
0005479019.tif 000006
【図６】
0005479019.tif 000007
【図７】
0005479019.tif 000008
【図８】
0005479019.tif 000009
【図９】
0005479019.tif 000010